(57)【要約】【課題】  記憶容量を低下させることなく、データ再生時におけるＥＣＣブロック内のデータエラーの発生を抑制できるようにする。【解決手段】  情報記録媒体にマークの有無によってデータを記録する２値記録を行い、記録単位である１ＥＣＣブロックのデータにマークの有る部分と無い部分とからなる同期信号を付加し、同期信号内の所定の位置、例えばマークの無い部分を追記或いは書換え記録のつなぎ目とすることで、つなぎ目記録のために記録容量を低下させることなく、データ再生時にＥＣＣブロック内のデータエラーの発生を抑制できるようにした。【選択図】    図３
2005339678.tif 000002
【特許請求の範囲】
【請求項１】
情報記録媒体に、マークの有無によってデータを記録する情報記録方法であって、
情報データに誤り訂正用データを付加して１ブロックのデータとしてデータを構成するステップと、
前記ブロックデータにマークの有る部分と無い部分とからなる同期信号を付加するステップと、
同期信号が付加されたブロック単位でデータを前記情報記録媒体に記録するステップと、
前記ブロック単位でデータを追記或いは書換え記録する場合に、前記同期信号内の所定の位置が追記或いは書換えのつなぎ目となるように制御するステップと、
を備える情報記録方法。
【請求項２】
前記制御するステップは、前記同期信号のマークの無い部分をつなぎ目にする、請求項１記載の情報記録方法。
【請求項３】
つなぎ目の直前のブロックに当該ブロックが記録最終ブロックであることを示す情報を付加するステップを備える請求項１又は２記載の情報記録方法。
【請求項４】
同期信号を付加するステップは、つなぎ目がマークの無い部分となる同期信号を付加する、請求項２記載の情報記録方法。
【請求項５】
情報記録媒体に、マークの無い場合を含めてマークの大きさの変化によって多値データを記録する情報記録方法であって、
情報データに誤り訂正用データを付加して１ブロックのデータとしてデータを構成するステップと、
前記ブロックデータを多値データに変換するステップと、
変換された前記多値データにマークの有る部分と無い部分とからなる同期信号を付加するステップと、
同期信号が付加されたブロック単位で多値データを前記情報記録媒体に記録するステップと、
前記ブロック単位で多値データを追記或いは書換え記録する場合に、同期信号内の所定の位置が追記或いは書換えのつなぎ目となるように制御するステップと、
を備える情報記録方法。
【請求項６】
前記制御するステップは、前記同期信号のマークの無い部分をつなぎ目にする、請求項５記載の情報記録方法。
【請求項７】
つなぎ目の直前のブロックに当該ブロックが記録最終ブロックであることを示す情報を付加するステップを備える請求項５又は６記載の情報記録方法。
【請求項８】
前記同期信号の後に、多値データの時間周期を検出するための信号を付加するステップを備える、請求項５ないし７の何れか一記載の情報記録方法。
【請求項９】
請求項３記載の情報記録方法によりデータが記録された情報記録媒体からマークを再生する情報再生方法であって、
前記情報記録媒体からの再生信号からマークの有無によって２値データを検出するステップと、
検出された２値データに基づき同期信号を検出するステップと、
検出されたブロック単位の２値データに対して誤り訂正用データを用いて誤り訂正を行い情報データを出力するステップと、
検出された２値データに基づき記録最終ブロックであることを示す情報を検出するステップと、
当該記録最終ブロックの検出に伴うつなぎ目に位置する同期信号の検出時には当該同期信号の判別条件を変更制御するステップと、
を備える情報再生方法。
【請求項１０】
前記判別条件を変更制御するステップでは、つなぎ目を含む信号部分の長さの条件を除外するように判別条件を変更制御する請求項９記載の情報再生方法。
【請求項１１】
請求項７記載の情報記録方法により多値データが記録された情報記録媒体からデータを再生する情報再生方法であって、
前記情報記録媒体からの再生信号からマークの有無によって多値データを検出するステップと、
検出された多値データに基づき同期信号を検出するステップと、
検出されたブロック単位の多値データを２値データに変換するステップと、
変換されたブロック単位の２値データに対して誤り訂正用データを用いて誤り訂正を行い情報データを出力するステップと、
変換された２値データに基づき記録最終ブロックであることを示す情報を検出するステップと、
当該記録最終ブロックの検出に伴うつなぎ目に位置する同期信号の検出時には当該同期信号の判別条件を変更制御するステップと、
を備える情報再生方法。
【請求項１２】
請求項７及び８記載の情報記録方法により多値データが記録された情報記録媒体からデータを再生する情報再生方法であって、
前記情報記録媒体からの再生信号からマークの有無によって多値データを検出するステップと、
検出された多値データに基づき同期信号を検出するステップと、
検出されたブロック単位の多値データを２値データに変換するステップと、
変換されたブロック単位の２値データに対して誤り訂正用データを用いて誤り訂正を行い情報データを出力するステップと、
変換された２値データに基づき記録最終ブロックであることを示す情報を検出するステップと、
当該記録最終ブロックの検出に伴うつなぎ目に位置する同期信号の検出時には当該同期信号の判別条件を変更制御するステップと、
多値データの時間周期を検出するための信号によって、多値データに同期したクロックを再び同期させるステップと、
備える情報再生方法。
【請求項１３】
前記判別条件を変更制御するステップでは、つなぎ目を含む信号部分の長さの条件を除外するように判別条件を変更制御する請求項１１又は１２記載の情報再生方法。
【請求項１４】
情報記録媒体に、マークの有無によってデータを記録する情報記録装置であって、
情報データに誤り訂正用データを付加して１ブロックのデータとしてデータを構成する手段と、
前記ブロックデータにマークの有る部分と無い部分とからなる同期信号を付加する手段と、
同期信号が付加されたブロック単位でデータを前記情報記録媒体に記録する手段と、
前記ブロック単位でデータを追記或いは書換え記録する場合に、前記同期信号内の所定の位置が追記或いは書換えのつなぎ目となるように制御する手段と、
を備える情報記録装置。
【請求項１５】
前記制御する手段は、前記同期信号のマークの無い部分をつなぎ目にする、請求項１４記載の情報記録装置。
【請求項１６】
つなぎ目の直前のブロックに当該ブロックが記録最終ブロックであることを示す情報を付加する手段を備える請求項１４又は１５記載の情報記録装置。
【請求項１７】
同期信号を付加する手段は、つなぎ目がマークの無い部分となる同期信号を付加する、請求項１５記載の情報記録方法。
【請求項１８】
情報記録媒体に、マークの無い場合を含めてマークの大きさの変化によって多値データを記録する情報記録装置であって、
情報データに誤り訂正用データを付加して１ブロックのデータとしてデータを構成する手段と、
前記ブロックデータを多値データに変換する手段と、
変換された前記多値データにマークの有る部分と無い部分とからなる同期信号を付加する手段と、
同期信号が付加されたブロック単位で多値データを前記情報記録媒体に記録する手段と、
前記ブロック単位で多値データを追記或いは書換え記録する場合に、同期信号内の所定の位置が追記或いは書換えのつなぎ目となるように制御する手段と、
を備える情報記録装置。
【請求項１９】
前記制御するステップは、前記同期信号のマークの無い部分をつなぎ目にする、請求項１８記載の情報記録装置。
【請求項２０】
つなぎ目の直前のブロックに当該ブロックが記録最終ブロックであることを示す情報を付加する手段を備える請求項１８又は１９記載の情報記録装置。
【請求項２１】
前記同期信号の後に、多値データの時間周期を検出するための信号を付加する手段を備える、請求項１８ないし２０の何れか一記載の情報記録装置。
【請求項２２】
請求項３記載の情報記録方法によりデータが記録された情報記録媒体からマークを再生する情報再生装置であって、
前記情報記録媒体からの再生信号からマークの有無によって２値データを検出する手段と、
検出された２値データに基づき同期信号を検出する手段と、
検出されたブロック単位の２値データに対して誤り訂正用データを用いて誤り訂正を行い情報データを出力する手段と、
検出された２値データに基づき記録最終ブロックであることを示す情報を検出する手段と、
当該記録最終ブロックの検出に伴うつなぎ目に位置する同期信号の検出時には当該同期信号の判別条件を変更制御する手段と、
を備える情報再生装置。
【請求項２３】
前記判別条件を変更制御する手段では、つなぎ目を含む信号部分の長さの条件を除外するように判別条件を変更制御する請求項２２記載の情報再生装置。
【請求項２４】
請求項７記載の情報記録方法により多値データが記録された情報記録媒体からデータを再生する情報再生装置であって、
前記情報記録媒体からの再生信号からマークの有無によって多値データを検出する手段と、
検出された多値データに基づき同期信号を検出する手段と、
検出されたブロック単位の多値データを２値データに変換する手段と、
変換されたブロック単位の２値データに対して誤り訂正用データを用いて誤り訂正を行い情報データを出力する手段と、
変換された２値データに基づき記録最終ブロックであることを示す情報を検出する手段と、
当該記録最終ブロックの検出に伴うつなぎ目に位置する同期信号の検出時には当該同期信号の判別条件を変更制御する手段と、
を備える情報再生装置。
【請求項２５】
請求項７及び８記載の情報記録方法により多値データが記録された情報記録媒体からデータを再生する情報再生装置であって、
前記情報記録媒体からの再生信号からマークの有無によって多値データを検出する手段と、
検出された多値データに基づき同期信号を検出する手段と、
検出されたブロック単位の多値データを２値データに変換する手段と、
変換されたブロック単位の２値データに対して誤り訂正用データを用いて誤り訂正を行い情報データを出力する手段と、
変換された２値データに基づき記録最終ブロックであることを示す情報を検出する手段と、
当該記録最終ブロックの検出に伴うつなぎ目に位置する同期信号の検出時には当該同期信号の判別条件を変更制御する手段と、
多値データの時間周期を検出するための信号によって、多値データに同期したクロックを再び同期させる手段と、
備える情報再生装置。
【請求項２６】
前記判別条件を変更制御するステップでは、つなぎ目を含む信号部分の長さの条件を除外するように判別条件を変更制御する請求項２４又は２５記載の情報再生装置。
【発明の詳細な説明】
【技術分野】
【０００１】
本発明は、光ディスク等の情報記録媒体に対して２値データ又は多値データを追記或いは書換え記録を行う時の情報記録方法及び情報記録装置、並びに、そのデータを再生するための情報再生方法及び情報再生装置に関する。
【背景技術】
【０００２】
従来、この種の記録可能な情報記録媒体に対して記録する上で、前回の記録分に引き続いて今回の新たなデータをつなぎ記録することがあり、このつなぎ記録に関する従来技術として以下のような提案例がある。
【０００３】
まず、特許文献１の「つなぎデータ記録再生方法および装置」によれば、光ディスクにデータを追記或いは書換える時の方法が提案されており、ＤＶＤ−ＲＷでは、記録単位であるＥＣＣブロックの第１セクタの第１フレームの１６バイト目までを記録し、つなぎ記録を行う時は、第１セクタの第１フレームの１５〜１７バイト目からつなぎ記録を開始するようにしている。
【０００４】
特許文献２の「情報記録媒体記録方法」によれば、光ディスクにデータを追記或いは書換える時の方法が提案されており、つなぎ記録を行う時は、第１セクタの第３フレームの１〜３バイト目からつなぎ記録を開始するものとし、ＤＶＤ−Ｒでは、つなぎ記録を行う時は、第１セクタの第２フレームの８２〜８７バイト目からつなぎ記録を開始するようにしている。
【０００５】
特許文献３の「記録可能な情報記録媒体、再生専用の情報記録媒体及び不正コピー防止法」によれば、ＥＣＣブロック単位でデータを記録し、ＥＣＣブロックの境界部に２シンクフレームからなるリンキング領域を配置し、このリンキング領域には凹凸形状のエンボスピット列を予め形成することで、不正コピーを防止するようにしている。
【０００６】
特許文献４の「情報記録装置、情報記録方法、情報記録媒体及び情報再生装置」によれば、ＥＣＣブロック単位でデータを記録し、ＥＣＣブロックの境界部に２シンクフレームからなるリンキング領域を配置するようにしている。
【０００７】
特許文献５の「情報記録媒体」によれば、ＥＣＣブロック単位でデータを記録し、ＥＣＣブロックの境界部に１シンクフレームからなるリンキング領域を配置し、このリンキング領域には、データ再生系の動作（ＰＬＬ回路）を安定化させるためのＶＦＯと呼ぶ特殊パターンを記録するようにしている。
【０００８】
さらに、多値記録に関しては、例えば非特許文献１において、光ディスクの容量を増加させるために、従来の０と１を記録する２値記録に対し、０から７を記録する多値記録（８値記録）を行うことで、記録密度を向上させる技術として、多値データを記録再生する時の信号処理方式が開示されており、例えば、多値データを記録する時は、そのＰ．３９  Ｆｉｇ．１２に示されるように、１１ビットの２値データを４個の８値データに変調して記録するようにしている。
【０００９】
【特許文献１】特開２００２−８３４６６公報
【特許文献２】特許第３３６７６５７号公報
【特許文献３】特開２００２−２６０３３９公報
【特許文献４】特開２００２−２６０３４１公報
【特許文献５】特開２００３−５９２０６公報
【非特許文献１】Ricoh Technical Report No.28 P.34〜P.41 「相変化型光ディスクへの多値記録技術」清水他
【発明の開示】
【発明が解決しようとする課題】
【００１０】
ところが、特許文献１，２の場合、ＥＣＣブロック内の所定の位置をつなぎ記録を行う時のつなぎ目としているため、データ再生時には、つなぎ目以降の約２フレーム（１ＥＣＣブロック内の横１行）分のデータは正しく再生されず、エラーデータになってしまう。また、つなぎ目のあるＥＣＣブロックにおいて、当該つなぎ目より前のデータは前回の記録データであって、つなぎ目以降のデータとは無関係である。従って、当該ＥＣＣブロックのエラー訂正においては、つなぎ目より前のデータはエラーデータになる。従って、つなぎ目のあるＥＣＣブロックでは、その両方の領域、即ち当該ブロックの先頭からつなぎ目の後約２フレーム分において、大量のエラーデータが発生するという問題がある。
【００１１】
また、特許文献３，４，５の場合、ＥＣＣブロックの境界部に専用のリンキング領域を別個に設けているので、記録容量が低下してしまうという問題がある。
【００１２】
さらに、非特許文献１では、記録密度を向上させるための多値データを記録する時の変調方法と再生する時の復調方法が開示されているが、誤り訂正用のデータ構成については何ら開示されておらず、実用的な光ディスクシステムが実現できないという問題がある。
【００１３】
本発明の目的は、光ディスク等の情報記録媒体にデータをつなぎ記録として追記或いは書換え記録する時に、記憶容量を低下させることなく、データ再生時におけるＥＣＣブロック内のデータエラーの発生を抑制できるようにすることである。
【００１４】
本発明の目的は、上記の目的を多値記録の場合についても実現することである。
【課題を解決するための手段】
【００１５】
請求項１記載の発明は、情報記録媒体に、マークの有無によってデータを記録する情報記録方法であって、情報データに誤り訂正用データを付加して１ブロックのデータとしてデータを構成するステップと、前記ブロックデータにマークの有る部分と無い部分とからなる同期信号を付加するステップと、同期信号が付加されたブロック単位でデータを前記情報記録媒体に記録するステップと、前記ブロック単位でデータを追記或いは書換え記録する場合に、前記同期信号内の所定の位置が追記或いは書換えのつなぎ目となるように制御するステップと、を備える。
【００１６】
請求項２記載の発明は、請求項１記載の情報記録方法において、前記制御するステップは、前記同期信号のマークの無い部分をつなぎ目にする。
【００１７】
請求項３記載の発明は、請求項１又は２記載の情報記録方法において、つなぎ目の直前のブロックに当該ブロックが記録最終ブロックであることを示す情報を付加するステップを備える。
【００１８】
請求項４記載の発明は、請求項２記載の情報記録方法において、同期信号を付加するステップは、つなぎ目がマークの無い部分となる同期信号を付加する。
【００１９】
請求項５記載の発明は、情報記録媒体に、マークの無い場合を含めてマークの大きさの変化によって多値データを記録する情報記録方法であって、情報データに誤り訂正用データを付加して１ブロックのデータとしてデータを構成するステップと、前記ブロックデータを多値データに変換するステップと、変換された前記多値データにマークの有る部分と無い部分とからなる同期信号を付加するステップと、同期信号が付加されたブロック単位で多値データを前記情報記録媒体に記録するステップと、前記ブロック単位で多値データを追記或いは書換え記録する場合に、同期信号内の所定の位置が追記或いは書換えのつなぎ目となるように制御するステップと、を備える。
【００２０】
請求項６記載の発明は、請求項５記載の情報記録方法において、前記制御するステップは、前記同期信号のマークの無い部分をつなぎ目にする。
【００２１】
請求項７記載の発明は、請求項５又は６記載の情報記録方法において、つなぎ目の直前のブロックに当該ブロックが記録最終ブロックであることを示す情報を付加するステップを備える。
【００２２】
請求項８記載の発明は、請求項５ないし７の何れか一記載の情報記録方法において、前記同期信号の後に、多値データの時間周期を検出するための信号を付加するステップを備える。
【００２３】
請求項９記載の発明は、請求項３記載の情報記録方法によりデータが記録された情報記録媒体からマークを再生する情報再生方法であって、前記情報記録媒体からの再生信号からマークの有無によって２値データを検出するステップと、検出された２値データに基づき同期信号を検出するステップと、検出されたブロック単位の２値データに対して誤り訂正用データを用いて誤り訂正を行い情報データを出力するステップと、検出された２値データに基づき記録最終ブロックであることを示す情報を検出するステップと、当該記録最終ブロックの検出に伴うつなぎ目に位置する同期信号の検出時には当該同期信号の判別条件を変更制御するステップと、を備える。
【００２４】
請求項１０記載の発明は、請求項９記載の情報再生方法において、前記判別条件を変更制御するステップでは、つなぎ目を含む信号部分の長さの条件を除外するように判別条件を変更制御する。
【００２５】
請求項１１記載の発明は、請求項７記載の情報記録方法により多値データが記録された情報記録媒体からデータを再生する情報再生方法であって、前記情報記録媒体からの再生信号からマークの有無によって多値データを検出するステップと、検出された多値データに基づき同期信号を検出するステップと、検出されたブロック単位の多値データを２値データに変換するステップと、変換されたブロック単位の２値データに対して誤り訂正用データを用いて誤り訂正を行い情報データを出力するステップと、変換された２値データに基づき記録最終ブロックであることを示す情報を検出するステップと、当該記録最終ブロックの検出に伴うつなぎ目に位置する同期信号の検出時には当該同期信号の判別条件を変更制御するステップと、を備える。
【００２６】
請求項１２記載の発明は、請求項７及び８記載の情報記録方法により多値データが記録された情報記録媒体からデータを再生する情報再生方法であって、前記情報記録媒体からの再生信号からマークの有無によって多値データを検出するステップと、検出された多値データに基づき同期信号を検出するステップと、検出されたブロック単位の多値データを２値データに変換するステップと、変換されたブロック単位の２値データに対して誤り訂正用データを用いて誤り訂正を行い情報データを出力するステップと、変換された２値データに基づき記録最終ブロックであることを示す情報を検出するステップと、当該記録最終ブロックの検出に伴うつなぎ目に位置する同期信号の検出時には当該同期信号の判別条件を変更制御するステップと、多値データの時間周期を検出するための信号によって、多値データに同期したクロックを再び同期させるステップと、備える。
【００２７】
請求項１３記載の発明は、請求項１１又は１２記載の情報再生方法において、前記判別条件を変更制御するステップでは、つなぎ目を含む信号部分の長さの条件を除外するように判別条件を変更制御する。
【００２８】
請求項１４記載の発明は、情報記録媒体に、マークの有無によってデータを記録する情報記録装置であって、情報データに誤り訂正用データを付加して１ブロックのデータとしてデータを構成する手段と、前記ブロックデータにマークの有る部分と無い部分とからなる同期信号を付加する手段と、同期信号が付加されたブロック単位でデータを前記情報記録媒体に記録する手段と、前記ブロック単位でデータを追記或いは書換え記録する場合に、前記同期信号内の所定の位置が追記或いは書換えのつなぎ目となるように制御する手段と、を備える。
【００２９】
請求項１５記載の発明は、請求項１４記載の情報記録装置において、前記制御する手段は、前記同期信号のマークの無い部分をつなぎ目にする。
【００３０】
請求項１６記載の発明は、請求項１４又は１５記載の情報記録装置において、つなぎ目の直前のブロックに当該ブロックが記録最終ブロックであることを示す情報を付加する手段を備える。
【００３１】
請求項１７記載の発明は、請求項１５記載の情報記録方法において、同期信号を付加する手段は、つなぎ目がマークの無い部分となる同期信号を付加する。
【００３２】
請求項１８記載の発明は、情報記録媒体に、マークの無い場合を含めてマークの大きさの変化によって多値データを記録する情報記録装置であって、情報データに誤り訂正用データを付加して１ブロックのデータとしてデータを構成する手段と、前記ブロックデータを多値データに変換する手段と、変換された前記多値データにマークの有る部分と無い部分とからなる同期信号を付加する手段と、同期信号が付加されたブロック単位で多値データを前記情報記録媒体に記録する手段と、前記ブロック単位で多値データを追記或いは書換え記録する場合に、同期信号内の所定の位置が追記或いは書換えのつなぎ目となるように制御する手段と、を備える。
【００３３】
請求項１９記載の発明は、請求項１８記載の情報記録装置において、前記制御するステップは、前記同期信号のマークの無い部分をつなぎ目にする。
【００３４】
請求項２０記載の発明は、請求項１８又は１９記載の情報記録装置において、つなぎ目の直前のブロックに当該ブロックが記録最終ブロックであることを示す情報を付加する手段を備える。
【００３５】
請求項２１記載の発明は、請求項１８ないし２０の何れか一記載の情報記録装置において、前記同期信号の後に、多値データの時間周期を検出するための信号を付加する手段を備える。
【００３６】
請求項２２記載の発露意は、請求項３記載の情報記録方法によりデータが記録された情報記録媒体からマークを再生する情報再生装置であって、前記情報記録媒体からの再生信号からマークの有無によって２値データを検出する手段と、検出された２値データに基づき同期信号を検出する手段と、検出されたブロック単位の２値データに対して誤り訂正用データを用いて誤り訂正を行い情報データを出力する手段と、検出された２値データに基づき記録最終ブロックであることを示す情報を検出する手段と、当該記録最終ブロックの検出に伴うつなぎ目に位置する同期信号の検出時には当該同期信号の判別条件を変更制御する手段と、を備える。
【００３７】
請求項２３記載の発明は、請求項２２記載の情報再生装置において、前記判別条件を変更制御する手段では、つなぎ目を含む信号部分の長さの条件を除外するように判別条件を変更制御する。
【００３８】
請求項２４記載の発明は、請求項７記載の情報記録方法により多値データが記録された情報記録媒体からデータを再生する情報再生装置であって、前記情報記録媒体からの再生信号からマークの有無によって多値データを検出する手段と、検出された多値データに基づき同期信号を検出する手段と、検出されたブロック単位の多値データを２値データに変換する手段と、変換されたブロック単位の２値データに対して誤り訂正用データを用いて誤り訂正を行い情報データを出力する手段と、変換された２値データに基づき記録最終ブロックであることを示す情報を検出する手段と、当該記録最終ブロックの検出に伴うつなぎ目に位置する同期信号の検出時には当該同期信号の判別条件を変更制御する手段と、を備える。
【００３９】
請求項２５記載の発明は、請求項７及び８記載の情報記録方法により多値データが記録された情報記録媒体からデータを再生する情報再生装置であって、前記情報記録媒体からの再生信号からマークの有無によって多値データを検出する手段と、検出された多値データに基づき同期信号を検出する手段と、検出されたブロック単位の多値データを２値データに変換する手段と、変換されたブロック単位の２値データに対して誤り訂正用データを用いて誤り訂正を行い情報データを出力する手段と、変換された２値データに基づき記録最終ブロックであることを示す情報を検出する手段と、当該記録最終ブロックの検出に伴うつなぎ目に位置する同期信号の検出時には当該同期信号の判別条件を変更制御する手段と、多値データの時間周期を検出するための信号によって、多値データに同期したクロックを再び同期させる手段と、備える。
【００４０】
請求項２６記載の発明は、請求項２４又は２５記載の情報再生装置において、前記判別条件を変更制御するステップでは、つなぎ目を含む信号部分の長さの条件を除外するように判別条件を変更制御する。
【発明の効果】
【００４１】
請求項１，１４記載の発明によれば、情報記録媒体にマークの有無によってデータを記録する２値記録を行い、記録単位である１ブロックのデータにマークの有る部分と無い部分とからなる同期信号を付加し、同期信号内の所定の位置を追記或いは書換え記録のつなぎ目としているので、つなぎ目記録のために記録容量を低下させることなく、データ再生時にＥＣＣブロック内のデータエラーの発生を抑制することができる。
【００４２】
請求項２，１５記載の発明によれば、請求項１，１４記載の発明において、同期信号の未記録部、即ち、マークの無い部分をつなぎ目としているので、追記型の情報記録媒体に好適に適用することができる。
【００４３】
請求項３，１６記載の発明によれば、請求項１，２，１４，１５記載の発明において、つなぎ目の直前のブロックに記録最終ブロックであることを示す情報を付加しているので、データ再生時につなぎ目を再生するための特殊処理を行わせることができ、ＥＣＣブロック内のデータエラーの発生を更に抑制することができる。
【００４４】
請求項４，１７記載の発明によれば、請求項２，１５記載の発明において、つなぎ目がマークの無い部分となる同期信号を付加するようにしているので、データ再生時にＥＣＣブロック内のデータエラーの発生を更に抑制することができる。
【００４５】
請求項５，１８記載の発明によれば、情報記録媒体にマークの大きさの変化によって多値データを記録し、記録単位である１ブロックのデータにマークの有る部分と無い部分とからなる同期信号を付加し、同期信号内の所定の位置を追記或いは書換え記録のつなぎ目としているので、つなぎ目記録のために記録容量を低下させることなく、データ再生時にＥＣＣブロック内のデータエラーの発生を抑制することができる。
【００４６】
請求項６，１９記載の発明によれば、請求項５，１８記載の発明において、同期信号の未記録部、即ちマークの無い部分をつなぎ目にしているので、追記型の情報記録媒体に好適に適用することができる。
【００４７】
請求項７，２０記載の発明によれば、請求項５，６，１８，１９記載の発明において、つなぎ目の直前のブロックに記録最終ブロックであることを示す情報を付加しているので、データ再生時につなぎ目を再生するための特殊処理を行わせることができ、ＥＣＣブロック内のデータエラーの発生を更に抑制することができる。
【００４８】
請求項８，２１記載の発明によれば、請求項５ないし７、１８ないし２０記載の発明において、同期信号の後に、多値データの時間周期を検出するための信号を付加しているので、データ再生時にＥＣＣブロック内のデータエラーの発生を更に抑制することができる。
【００４９】
請求項９，１０，２２，２３記載の発明によれば、２値記録の情報記録媒体からデータを再生する時に、記録最終ブロックであることを示す情報を検出し、つなぎ目に位置する同期信号の検出時には当該同期信号の判別条件を変更制御、例えば、つなぎ目を含む信号部分の長さの条件を除外しているので、同期信号の誤検出を防ぎ、ＥＣＣブロック内のデータエラーの発生を抑制することができる。
【００５０】
請求項１１，２４記載の発明によれば、多値記録の情報記録媒体からデータを再生する時に、記録最終ブロックであることを示す情報を検出し、つなぎ目に位置する同期信号の検出時には、当該同期信号の判別条件を変更制御、例えば、つなぎ目を含む信号部分の長さの条件を除外しているので、同期信号の誤検出を防ぎ、ＥＣＣブロック内のデータエラーの発生を抑制することができる。
【００５１】
請求項１２，２５記載の発明によれば、多値記録の情報記録媒体からデータを再生する時に、記録最終ブロックであることを示す情報を検出し、つなぎ目に位置する同期信号を検出した後、多値データの時間周期を検出するための信号によって、多値データに同期したクロックを再び同期させているので、ＰＬＬ回路の動作を安定させ、ＥＣＣブロック内のデータエラーの発生を抑制することができる。
【００５２】
請求項１３，２６の発明によれば、情報記録媒体にマークの有無によってデータを記録する多値記録を行い、記録単位である１ブロックのデータにマークの有る部分と無い部分とからなる同期信号を付加し、同期信号内の所定の位置を追記或いは書換え記録のつなぎ目にしているので、記録容量を低下させることなく、データ再生時にＥＣＣブロック内のデータエラーの発生を抑制することができる。
【発明を実施するための最良の形態】
【００５３】
［第一の実施の形態］
本発明の第一の実施の形態を図１ないし図６に基づいて説明する。本実施の形態は、２値記録方式への適用例を示す。
【００５４】
Ａ．２値記録方式への適用原理
図１（ａ）に光ディスク等の情報記録媒体に情報データを記録する時のデータ構成例を示す。まず、記録する情報データに誤り訂正用データを付加する。一例として、ＤＶＤ（Digital Versatile Disc）のデータ構成を使用しても良い。ＤＶＤのデータ構成については、例えば、特開２００２−３１３０２７公報中の段落００２３から００３２に記載されているように、１６個のセクタデータに対して、横方向と縦方向のエラー訂正用データが付加される。ここでは、横方向のデータの並びを、「行」と呼ぶ。この結果、１８２（＝ｍ：自然数）バイト×２０８（＝ｎ：自然数）行の一まとまりのデータブロックが構成される。これを、ＥＣＣ（Error Correcting Code）ブロックと呼ぶ。
【００５５】
１個のセクタデータは、主たる情報データである画像や音声或いはコンピュータデータなどのユーザデータの他に、ディスクが読出し専用か書換可能か、データの記録層が１層か多層か等のディスクを識別するディスク識別データや、データをアクセスするためのセクタ単位のアドレス情報や、著作権管理等を行う予備データ等から構成されている。このようなＥＣＣブロックのデータに、同期信号を付加し、１行ずつ図の左から順に光ディスク等の情報記録媒体に記録する。図１（ｂ）には、記録再生時に１行毎のデータが連続する様子を模式的に示した。
【００５６】
図２に同期信号のデータパターンの一例を示す。通常、情報データや誤り訂正用データは、０と１とがランダムに配置されるデータパターンになるため、それらとは区別がつきやすいように、同期信号には０と１とが連続するデータパターンを使用している。
【００５７】
光ディスクには、０と１とをマークの有無によって記録する。例えば、相変化型の光ディスクにレーザ光を照射して、光ディスク上の記録材料を結晶質と非晶質に変化させ、反射率の変化を与える公知技術を使用すれば良い。この場合、非晶質の部分が反射率が低くなり、ここではこれをマークと呼ぶ。
【００５８】
この光ディスクに弱い一定のレーザ光を照射すると、マークの有無によってその反射光量が変化するので、光電変換して電気信号としての再生信号を得る。図２（ｃ）には同期信号の再生信号波形を模式的に示した。この再生信号を所定のしきい値で２値化し、その反転間隔（図中のＡとＢ）が所定の条件であることを判定することで同期信号を検出できる。
【００５９】
光ディスクには、１ＥＣＣブロック単位でデータを記録する。従って、データの追記や書換え記録も１ＥＣＣブロック単位で行う。本実施の形態では、その時のつなぎ目を同期信号内の所定の位置、具体的には、そのマークの無い部分（０の連続部）に設定するものである。図３にこの様子を示す。特許文献１，２等の従来技術では、つなぎ目をＥＣＣブロック内のデータ上に設定していたため、そのＥＣＣブロックの先頭から当該つなぎ目までのデータは、前回の記録によるデータであり、今回の記録データとは無関係なデータであるので、当該ＥＣＣブロックでは先頭からつなぎ目までのデータはエラーデータになっていた。しかし、本実施の形態では、同期信号内の所定の位置をつなぎ目にしているので、ＥＣＣブロック内には無関係なデータは存在せず、データ再生時にＥＣＣブロック内のデータエラーの発生を抑制することができる。また、ＥＣＣブロック以外につなぎ目を含む領域（従来技術のリンキング領域）を設定していないので記録容量を低下させることもない。
【００６０】
なお、本実施の形態では、つなぎ目を同期信号内のマークの無い部分に設定しているが、情報記録媒体としてデータの消去が可能な書換え型の媒体を使用する場合は、マークのある部分に設定しても良い。
【００６１】
また、情報記録媒体としてデータの消去が不可能な追記型の媒体を使用する場合は、つなぎ目をマークの無い部分に設定すると良い。データを追記する時に、前回の同期信号のマーク部分と今回の記録のマーク部分とが重なると、正常にマークを記録できないからである。従って、つなぎ目をマークの無い部分（未記録部）に設定すると、つなぎ目におけるマークの記録異常を防ぐことができる。
【００６２】
また、本実施の形態のような２値記録の光ディスクでは、再生信号の極性（２値化した時のhighとlow）には意味を持たせず、その変化点の間隔（反転間隔）に意味を持たせて記録する場合があり、図４に示すように、２種類の同期信号（同期信号１，２）を使用する場合がある。特に、追記型の情報記録媒体を使用して、つなぎ目をマークの無い部分に設定する場合、つなぎ目に同期信号２を使用すると、マークの記録異常が発生する恐れがある。そのため、ＥＣＣブロックの境界用に用いる同期信号としては、同期信号１を使用すると良い。これにより、つなぎ目におけるマークの記録異常を防ぎ、同期信号の誤検出が防げ、データ再生時にＥＣＣブロック内のデータエラーの発生を更に抑制することができる。
【００６３】
光ディスクにデータを追記したり書換えたりする場合、その記録開始位置が常につなぎ目に正確に一致するとは限らず、ある程度の誤差が発生することがある。その結果、図５に示すように、つなぎ目の同期信号のマークの無い部分の長さが変化する場合がある。つまり、再生信号において、通常の同期信号ならば、図２に示す反転間隔Ａはほぼ一定であるが、図５に示すようにつなぎ目の反転間隔がＡ′やＡ″に示すように短くなったり長くなったり変化する場合がある。この場合、通常の同期信号の検出と同様に反転間隔ＡとＢの条件から同期信号を検出すると、Ａの条件が満足されず、つなぎ目の同期信号を検出できないことがある。
【００６４】
そこで、つなぎ目の同期信号を検出する時は、反転間隔Ａの条件（つなぎ目を含む信号部分の長さの条件）を除外して、反転間隔Ｂのみを条件にすると良い。このためには、検出する同期信号がつなぎ目であるか否かの情報が必要になる。そこで、本実施の形態では、記録時に、最終のＥＣＣブロックには、当該ブロックが記録最終ブロックであることを示す情報を付加させるものである。例えば、最終ＥＣＣブロックの全セクタのディスク識別データの１ビットを使用し、１は記録最終ブロックであり、０はそうでないことを示すようにすると良い。これにより、記録最終ブロックであることを検出し、そのブロックの終端はつなぎ目の同期信号であることが分り、その同期信号の検出時には、反転間隔Ａの条件を除外して同期信号の検出を行う。この結果、同期信号の検出漏れを防ぎ、ＥＣＣブロック内のデータエラーの発生を更に抑制することができる。このように、記録最終ブロックであることを示す情報を付加することで、データ再生時につなぎ目を再生するための特殊処理を行え、ＥＣＣブロック内のデータエラーの発生を抑制することができる。
【００６５】
Ｂ．光ディスク装置（情報記録装置、情報再生装置）への適用例
上記の２値記録方式への適用原理を光ディスク装置に適用した概略構成例を図６に示す。まず、記録／再生の対象となる情報記録媒体は光ディスク１であり、螺旋状又は同心円状のトラックが形成され、トラックに沿ってマークを記録する。トラックは、一定の周期でわずかに蛇行（wobble）し、その周波数変化や位相変化によって、ディスク全面に亘るアドレスが前以て記録されている。ここでは、これを「wobbleアドレス」と呼ぶ。このような光ディスク１を回転させるスピンドルモータ２が設けられている。一方、回転駆動される光ディスク１に対してレーザ光のスポットを照射して当該光ディスク１にマークを記録し、記録されたマークをレーザ光のスポットで走査して電気信号を出力する光ヘッド（光ピックアップ）３が設けられている。
【００６６】
また、光ヘッド３から出力された電気信号を演算増幅し、光ディスク１上のマークに対応した再生信号や、レーザ光のスポットが光ディスク１の記録面に焦点が合っているかを示すフォーカスエラー信号や、レーザ光のスポットがトラックに沿って走査しているかを示すトラッキングエラー信号や、トラックの蛇行に対応した信号等を出力する演算増幅回路４と、フォーカスエラー信号や、トラッキングエラー信号、トラックの蛇行に対応した信号により、レーザ光のスポットを光ディスク１の記録面に焦点を合わせ、正しくトラックを走査させ、かつ、光ディスク１を線速度一定又は角速度一定に回転させるように、光ヘッド３やスピンドルモータ２を制御するサーボ回路５が設けられている。
【００６７】
そして、光ヘッド３とともに情報記録装置部分を構成する記録系としては、誤り訂正用データ付加回路６、ＲＬＬ変調回路７、同期信号付加回路８及びレーザ駆動回路９が設けられている。誤り訂正用データ付加回路（データを構成する手段）６は、対象となる情報データ（２値データ）に対して、誤り訂正を行うためのデータを付加し、１ブロックのデータ（１ＥＣＣブロックデータ）としてデータを構成する。この誤り訂正用データ付加回路６は、記録最終ブロックであることを示す情報を付加する手段としても機能する。ＲＬＬ（Run Length Limited）変調回路７は、２値データの反転間隔が所定の規則に合うようにデータの変換を行う。同期信号付加回路（同期信号を付加する手段）８は、データの有る部分と無い部分とからなる同期信号を１ＥＣＣブロックデータに対して付加する。レーザ駆動回路９は、レーザ光照射によって、光ディスク１上に２値データに対応したマークとスペースを記録するため信号を生成するもので、光ヘッド３とともに、データを記録する手段として機能する。
【００６８】
また、光ヘッド３とともに情報再生装置部分を構成する再生系としては、波形等化回路１０、２値化回路１１、データ検出回路１２、ＰＬＬ回路１３、同期信号検出回路１４、記録最終ブロック検出回路１５、誤り訂正回路１６が設けられている。波形等化回路１０は、演算増幅回路４より得られる再生信号に対して波形等化を行う。２値化回路１１は、再生信号（アナログ信号）を所定のしきい値で２値化する。データ検出回路（２値データを検出する手段）１２は、ＰＬＬ回路１３から得られるクロック信号のタイミングで、２値化された信号を０と１の２値データとして検出する。ＰＬＬ回路１３は、２値化回路１１から得られる２値データに同期したクロック信号を生成する。同期信号検出回路（同期信号を検出する手段）１４は、２値化回路１１から得られる２値化された信号から同期信号を検出する。記録最終ブロック検出回路（記録最終ブロックであることを示す情報を検出する手段）１５は、セクタのディスク識別データを検出し、記録最終ブロックか否かを判別する。誤り訂正回路（誤り訂正を行い情報データ（２値データ）を出力する手段）１６は、誤り訂正用データを使用して、１ＥＣＣブロック内のデータの誤り訂正を行い、２値データによる情報データを出力する。
【００６９】
なお、wobbleアドレス復調回路１７は、光ディスク１に前以て記録されたwobbleアドレスを復調し、追記や書換え時の記録開始タイミング信号を出力する。
【００７０】
さらに、当該光ディスク装置全体の動作制御を行うマイクロプロセッサ１８が設けられている。
【００７１】
なお、図示していないが、光ヘッド３を光ディスク１の半径方向に移動させ、光ディスク１上のデータをサーチする機構も備わっている。さらに、コンピュータ用の情報記憶装置として使用するためのインタフェース回路等は図示を省略した。光ディスク１としてはＤＶＤ＋ＲＷやＤＶＤ＋Ｒを使用し、光ヘッド３にはレーザ光の波長が６５０ｎｍであるレーザダイオードを使用する。より高密度記録ができる青レーザとそのレーザ波長（例えば、４０５ｎｍ）に対応した相変化型（書換え可能）や色素型（消去不可）の光ディスクを使用しても良い。
【００７２】
Ｃ．記録動作例
このような光ディスク装置において、最初に情報データを１ＥＣＣブロック単位で光ディスク１に記録する場合の動作を説明する。まず、記録対象となる情報データ（２値データ）を誤り訂正用データ付加回路６に入力し、図１に示したようなｎ行×ｍバイトのＥＣＣブロックのデータ構成を生成する（データを構成するステップ）。記録終了となる最終のＥＣＣブロックにおいては、記録最終ブロックであることを示す情報を付加する（記録最終ブロックであることを示す情報を付加するステップ）。つまり、最終ＥＣＣブロックの全セクタのディスク識別データの１ビットに記録最終ブロックである（１）か否（０）かのデータビットを設定する。
【００７３】
次に、ＲＬＬ変調回路７で２値データの反転間隔が所定の規則に合うように変調を行う。通常、情報データや誤り訂正用データは、０と１とがランダムに配置されるデータパターンになるため、これをそのまま記録信号にすると、記録信号は広帯域の周波数成分を持つ。光ディスクにデータを記録する場合は、そのレーザ光スポット径と記録線速度によって、使用できる周波数帯域が制限される。そこで、記録信号の反転間隔を制御することにより、その周波数成分を制限する手法が、ＤＶＤ等にも使用されている公知技術のＲＬＬ（Run Length Limited）変調である。
【００７４】
例えば、ＲＬＬ変調により、反転間隔を２ビットから７ビットに制限すれば、その反転間隔以外に対応する周波数成分を減衰できる。また、図２に示すように同期信号の反転間隔を８ビットとし、この制限（２ビットから７ビット）以外にすれば、同期信号の検出が容易になる。さらに、信号の直流成分を抑圧するために、２値信号の極性（HighとLow）の時間率ができるだけ同じになるようにデータパターンを選択することもある。そのために、図４に示すように、２種類の同期信号を使い分ける場合がある。この場合は、ＥＣＣブロックの境界の同期信号には、つなぎ目をマークの無い部分にするために同期信号１を使用する。
【００７５】
その後、同期信号付加回路８で図２或いは図４に示す同期信号を付加する（同期信号を付加するステップ）。そして、この２値データに対応したマークとスペースを記録するために、レーザ駆動回路９によって光ヘッド３中のレーザダイオードを駆動する信号を生成する。そして、光ヘッド３によりマークが光ディスク１に記録される（記録するステップ）。
【００７６】
ここに、光ディスク１にデータを記録する場合は、光ディスク１に前以て記録されたwobbleアドレスに合わせてデータを記録する。そのために、データを記録する前にwobbleアドレスを検出する。光ヘッド３により、一定強度のレーザ光を光ディスク１に照射し、その反射光を光電変換して電気信号を得る。得られた信号を演算増幅回路４に入力し、サーボ回路５により光ディスク１を安定して回転させ、光ヘッド3のトラッキングやフォーカス制御を行い、再生信号を出力する。
【００７７】
演算増幅回路４からは、再生信号とは別に、光ディスク１のトラックの蛇行状態に対応したwobble信号が出力され、wobbleアドレス復調回路１７により、wobbleアドレスと記録開始タイミング信号が出力される。光ディスク１上の任意のアドレスにデータを記録する場合は、マイクロプロセッサ１８において、wobbleアドレス復調回路１７から出力されるwobbleアドレスと、所望のwobbleアドレスとが一致することを確認し、そのwobbleアドレスにおける記録開始タイミング信号を使用して、光ディスク１へのデータ記録を開始する。
【００７８】
このような記録動作において、データの記録開始と終了は、図３に示したように、ＥＣＣブロックの境界の同期信号のマークの無い部分をつなぎ目とし、このつなぎ目を記録の開始点と終了点にする。このつなぎ目を制御するステップ、手段の機能はマイクロプロセッサにより実行される。この際、wobble信号によるアドレス記録位置とデータのつなぎ目の位置とは、概略一定の相対関係を持つように制御する。これにより、wobbleアドレスと記録データとの位置関係が保たれ、wobbleアドレスと記録データのアドレスとが一致し、光ディスク１上の未記録領域と既記録領域とを区別なくアクセスできる。
【００７９】
Ｄ．再生動作例
次に、上記の光ディスク１からデータを再生する時の動作を説明する。光ヘッド３により、一定強度のレーザ光を光ディスク１に照射し、その反射光を光電変換して電気信号を得る。得られた信号を演算増幅回路４に入力し、サーボ回路５により光ディスク１を安定して回転させ、光ヘッド３のトラッキングやフォーカス制御を行い、再生信号を出力する。波形等化回路１０によって符号間干渉を除去し、２値化回路１１によって所定のしきい値でアナログ信号を２値信号に変換する。その後、同期信号検出回路１４にて同期信号を検出し（同期信号を検出するステップ）、ＰＬＬ回路１３により２値データに同期したクロックを生成する。
【００８０】
データ検出回路１２によって２値データが検出され（２値データを検出するステップ）、誤り訂正回路１６で１ＥＣＣブロックデータに対する誤り訂正が行われ、情報データを出力する（誤り訂正を行い情報データを出力するステップ）。同時に、記録最終ブロック検出回路１５で、セクタのディスク識別データを検出し、記録最終ブロックか否かを判別する。この判別結果により、つなぎ目の同期信号検出時には、同期信号の判別条件を変える制御を行う。この同期信号の判別条件を変更制御するステップ、手段の機能はマイクロプロセッサ１８により実行される。
【００８１】
［第二の実施の形態］
本発明の第二の実施の形態を図７ないし図１３に基づいて説明する。本実施の形態は、多値記録方式への適用例を示す。即ち、第一の実施の形態は、光ディスクにマークの有無によって０と１のデータを記録する２値記録方式への適用例であったが、本実施の形態ではマークの大きさで３種類以上のデータを記録する多値記録方式への適用例を説明する。
【００８２】
Ａ．多値記録方式への適用原理
図７に示すように、ここではマークを記録しない場合を含めて、マークの大きさを８種類に変化させて記録する８値記録の例を説明する。図７（ａ）に示すように、１個のデータが８種類の値をとり、その値に応じてマークの大きさを変化させて記録すると、データ再生時には、図７（ｂ）に示すような再生信号が得られる。
【００８３】
再生信号から多値データ（０〜７）を判定して２値データに変換し、誤り訂正を行って従来の２値データを出力する。従って、従来の２値データの情報を多値データに変換して記録再生すると、情報の記録密度が高まり、光ディスクの記録容量を増加させる効果がある。
【００８４】
図８（ａ）に、情報データ（２値データ）を多値データに変換して、光ディスク等の情報記録媒体に記録する時のデータ構成の例を示す。２値データである情報データに誤り訂正用データを付加する方法は、公知の従来技術と同様に行う。例えば、ＤＶＤのように横方向と縦方向にエラー訂正用データを付加する積符号を使用する。この場合、多値データに変換する都合上、横１行のビット数を以下のように決めると良い。
【００８５】
従来技術中に示した非特許文献１では、Ｐ．３９のFig.12に示されているように、１１ビットの２値データを４個の８値データに変調して、光ディスクに多値記録を行っている。従って、横１行のデータが１１ビットからなるワードデータで構成されていると、多値データへの変換に都合が良い。情報データはバイト（８ビット）単位であるので、横１行のデータビット数は８８の整数倍に設定すると良い。ｉを整数とすると、横１行のデータビット数は８８×ｉであり、これを１１ビット単位で４個の８値データに変換すると、横１行の多値データの個数は、８×４×ｉ＝３２×ｉ（＝ｊ）個になる。本実施の形態の多値記録においては、ｊ個×ｋ（自然数）行が１ＥＣＣブロックのデータになる。
【００８６】
これらの多値データに変換された情報データと誤り訂正用データに、多値データからなる同期信号とアンブル信号を付加する。同期信号のデータパターンの例を図９に、アンブル信号のデータパターンの例を図１０に示す。
【００８７】
同期信号は、検出しやすいように、多値データの最大値（７）と最小値（０）とが連続するデータパターンを使用している。これにより、２値記録と同様に１個のしきい値で２値化して、その反転間隔（図９中のＣとＤ）が所定の条件であることを判定することで同期信号を検出する。
【００８８】
アンブル信号は、データ再生時に、個々の多値データに同期したクロック信号を生成するためのＰＬＬ（Phase Locked Loop）回路に必要な信号である。２値記録の場合は、再生信号を所定のしきい値で２値化し、データが反転するタイミングにＰＬＬ回路から出力するクロック信号を所定の位相差になるように制御することで、データに同期したクロック信号を生成できる。しかし、多値記録の再生信号は、２値記録の再生信号のような単純な変化ではないので、データの反転タイミングを検出する方法ではクロック信号を生成できない。そこで、図１０に示すような多値データの周期が検出できる繰返し信号（ここでは、これをアンブル信号と呼ぶ。）を付加して記録し、データ再生時は、アンブル信号を使用してＰＬＬ回路からの出力クロックを多値データに同期させる。
【００８９】
再生信号からアンブル信号を検出するには、同期信号を検出し、検出した同期信号の位置からアンブル信号を検出する。また、アンブル信号以外に、所定の一定間隔で多値データの位置がわかる信号を挿入し、この信号とクロック信号とを再同期させるようにするとなお良い。
【００９０】
このような構成のデータを１ＥＣＣブロックのデータとして、１行ずつ図の左から順に光ディスク等の情報記録媒体に記録する。図８（ｂ）には、記録再生時に１行毎のデータが連続する様子を模式的に示した。
【００９１】
光ディスクには、１ＥＣＣブロック単位でデータを記録する。従って、データの追記や書換え記録も１ＥＣＣブロック単位で行う。本実施の形態では、その時のつなぎ目を同期信号中の所定の位置、例えば、マークの無い部分（０の連続部）に設定するようにしたものである。図１１にこの様子を示す。これにより、多値記録においても２値記録の実施の形態の場合と同様に、同期信号内の所定の位置をつなぎ目にしているので、ＥＣＣブロック内には無関係なデータは存在せず、データ再生時にＥＣＣブロック内のデータエラーの発生を抑制することができる。また、ＥＣＣブロック以外につなぎ目を含む領域（従来技術のリンキング領域）を設定していないので記録容量を低下させないという効果も得られる。
【００９２】
ここでは、つなぎ目を同期信号中でマークの無い部分に設定しているが、情報記録媒体としてデータの消去が可能な書換え型の媒体を使用する場合は、マークのある部分に設定しても良い。また、情報記録媒体としてデータの消去が不可能な追記型の媒体を使用する場合は、２値記録の実施の形態の場合と同様に、つなぎ目を同期信号内のマークの無い部分に設定すると良い。データを追記する時に、前回の同期信号のマーク部分と今回の記録のマーク部分とが重なると、正常にマークを記録できないからである。従って、つなぎ目をマークの無い部分（未記録部）に設定すると、つなぎ目におけるマークの記録異常を防ぐことができる。
【００９３】
ところで、光ディスクにデータを追記したり書換えたりする場合、２値記録の実施の形態の場合と同様に、その記録開始位置が常につなぎ目に正確に一致するとは限らず、ある程度の誤差が発生することがある。その結果、図１２に示すように、つなぎ目の同期信号のマークの無い部分の長さが変化する場合がある。つまり、再生信号において、通常の同期信号ならば、図９の反転間隔Ｃはほぼ一定であるが、図１２に示すようにつなぎ目の反転間隔がＣ′やＣ″として示すように短くなったり長くなったり変化する場合がある。この場合、通常の同期信号の検出と同様に反転間隔ＣとＤの条件から同期信号を検出すると、Ｃの条件が満足されず、つなぎ目の同期信号を検出できないことがある。
【００９４】
そこで、本実施の形態では、データ再生時において、つなぎ目の同期信号を検出する場合は、反転間隔Ｃの条件を除外して（つなぎ目を含む信号部分の長さの条件を除外して）、反転間隔Ｄのみを条件にすると良い。このためには、検出する同期信号がつなぎ目であるか否かの情報が必要になる。そこで、本実施の形態では、記録時に、最終のＥＣＣブロックには、当該ブロックが記録最終ブロックであることを示す情報を付加させるものである。
【００９５】
例えば、最終ＥＣＣブロックの全セクタのディスク識別データの１ビットを使用し、１は記録最終ブロックであり、０はそうでないことを示すようにすると良い。これにより、記録最終ブロックであることを検出し、そのブロックの終端はつなぎ目の同期信号であることが分り、その同期信号の検出時には、反転間隔Ｃの条件を除外して同期信号の検出を行う。この結果、同期信号の検出漏れを防ぎ、ＥＣＣブロック内のデータエラーの発生を更に抑制することができる。
【００９６】
さらに、つなぎ目の同期信号を検出したら、その後のアンブル信号を使用して、ＰＬＬ回路から出力するクロック信号を多値データに同期させると良い。これにより、つなぎ目の記録開始位置の誤差によって生じたクロック信号の位相の乱れを除去し、ＰＬＬ回路の動作を安定させ、ＥＣＣブロック内のデータエラーの発生を抑制することができる。
【００９７】
このように、記録最終ブロックであることを示す情報を付加すると、データ再生時につなぎ目を再生するための特殊処理を行わせることができ、ＥＣＣブロック内のデータエラーの発生を抑制することができる。さらに、アンブル信号を付加しているので、つなぎ目の記録開始位置の誤差によって生じたクロック信号の位相の乱れを除去し、ＰＬＬ回路の動作を安定させ、ＥＣＣブロック内のデータエラーの発生を抑制することができる。
【００９８】
Ｂ．光ディスク装置（情報記録装置、情報再生装置）への適用例
上記の多値記録方式への適用原理を光ディスク装置に適用した概略構成例を図１３に示す。
【００９９】
まず、記録／再生の対象となる情報記録媒体は光ディスク２１であり、螺旋状又は同心円状のトラックが形成され、トラックに沿ってマークを記録する。トラックは、一定の周期でわずかに蛇行（wobble）し、その周波数変化や位相変化によって、ディスク全面に亘るアドレスが前以て記録されている。ここでは、これを「wobbleアドレス」と呼ぶ。このような光ディスク２１を回転させるスピンドルモータ２２が設けられている。一方、回転駆動される光ディスク２１に対してレーザ光のスポットを照射して当該光ディスク２１にマークを記録し、記録されたマークをレーザ光のスポットで走査して電気信号を出力する光ヘッド（光ピックアップ）２３が設けられている。
【０１００】
また、光ヘッド２３から出力された電気信号を演算増幅し、光ディスク２１上のマークに対応した再生信号や、レーザ光のスポットが光ディスク２１の記録面に焦点が合っているかを示すフォーカスエラー信号や、レーザ光のスポットがトラックに沿って走査しているかを示すトラッキングエラー信号や、トラックの蛇行に対応した信号等を出力する演算増幅回路２４と、フォーカスエラー信号や、トラッキングエラー信号、トラックの蛇行に対応した信号により、レーザ光のスポットを光ディスク２１の記録面に焦点を合わせ、正しくトラックを走査させ、かつ、光ディスク２１を線速度一定又は角速度一定に回転させるように、光ヘッド２３やスピンドルモータ２２を制御するサーボ回路２５が設けられている。
【０１０１】
そして、光ヘッド２３とともに情報記録装置部分を構成する記録系としては、誤り訂正用データ付加回路２６、多値化回路２７、同期信号付加回路２８及びレーザ駆動回路２９が設けられている。誤り訂正用データ付加回路（データを構成する手段）２６は、対象となる情報データ（２値データ）に対して、誤り訂正を行うためのデータを付加したデータを構成する。この誤り訂正用データ付加回路２６は、記録最終ブロックであることを示す情報を付加する手段としても機能する。多値化回路２７（多値データに変換する手段）は、２値データを多値データに変換する。同期信号付加回路（同期信号を付加する手段）２８は、変換された多値データに対して、データの有る部分と無い部分とからなる同期信号を１ＥＣＣブロックデータに対して付加する。レーザ駆動回路２９は、レーザ光照射によって、光ディスク２１上に多値データに対応した大きさのマークを記録するため信号を生成するもので、光ヘッド２３とともに、データを記録する手段として機能する。
【０１０２】
また、光ヘッド２３とともに情報再生装置部分を構成する再生系としては、ＡＤ変換回路３０、ＰＬＬ回路３１、同期信号検出回路３２、波形等化回路３３、多値判定回路３４、多値２値変換回路３５、記録最終ブロック検出回路３６、誤り訂正回路３７が設けられている。ＡＤ変換回路３０はアナログの再生信号をデジタル信号に変換する。ＰＬＬ回路３１は、多値データに同期したクロック信号を生成する。同期信号検出回路（同期信号を検出する手段）３２は、再生信号から同期信号を検出する。波形等化回路３３は、デジタル信号処理による波形等化を行う。多値判定回路３４は多値データを判定し、多値２値変換回路３５は多値データを２値データに変換する。記録最終ブロック検出回路（記録最終ブロックであることを示す情報を検出する手段）３６は、セクタのディスク識別データを検出し、記録最終ブロックか否かを判別する。誤り訂正回路（誤り訂正を行い情報データ（２値データ）を出力する手段）３７は、誤り訂正用データを使用して、１ＥＣＣブロック内のデータの誤り訂正を行い、２値データによる情報データを出力する。
【０１０３】
なお、wobbleアドレス復調回路３８は、光ディスク２１に前以て記録されたwobbleアドレスを復調し、追記や書換え時の記録開始タイミング信号を出力する。
【０１０４】
さらに、当該光ディスク装置全体の動作制御を行うマイクロプロセッサ３９が設けられている。
【０１０５】
なお、図示していないが、光ヘッド２３を光ディスク２１の半径方向に移動させ、光ディスク２１上のデータをサーチする機構も備わっている。さらに、コンピュータ用の情報記憶装置として使用するためのインタフェース回路等は図示を省略した。光ディスク２１としてはＤＶＤ＋ＲＷやＤＶＤ＋Ｒを使用し、光ヘッド２３にはレーザ光の波長が６５０ｎｍであるレーザダイオードを使用する。より高密度記録ができる青レーザとそのレーザ波長（例えば、４０５ｎｍ）に対応した相変化型（書換え可能）や色素型（消去不可）の光ディスクを使用しても良い。
【０１０６】
Ｃ．記録動作例
このような光ディスク装置において、最初に情報データを１ＥＣＣブロック単位で光ディスク１に多値記録する場合の動作を説明する。ここでは、図７に示したように、マークを記録しない場合を含めて、マークの大きさを８種類に変化させて記録する８値記録の例を説明する。
【０１０７】
まず、記録対象となる情報データ（２値データ）を誤り訂正用データ付加回路２６に入力し、誤り訂正用データを付加し、多値化回路２７によって、１１ビット単位の２値データを４個の８値データに変換する（データを構成するステップ）。この結果、図８に示すｊ個×ｋ行のＥＣＣブロックのデータが生成される。この際、記録終了となる最終のＥＣＣブロックにおいては、記録最終ブロックであることを示す情報を付加する（記録最終ブロックであることを示す情報を付加するステップ）。つまり、最終ＥＣＣブロックの全セクタのディスク識別データの１ビットに記録最終ブロックである（１）か否（０）かのデータビットを設定する。
【０１０８】
次に、同期信号付加回路２８で図９に示したような同期信号と、図１０に示したようなアンブル信号を付加する（同期信号を付加するステップ、多値データの時間周期を検出するための信号を付加するステップ）。更に、レーザ駆動回路２９で、多値データの各値に対応したマークを光ディスク２１に記録するための信号を生成し、光ヘッド２３によりマークが光ディスク２１に記録される（記録するステップ）。
【０１０９】
このようにして光ディスク２１にデータを記録する場合は、光ディスク２１に前以て記録されたwobbleアドレスに合わせてデータを記録する。そのために、データを記録する前にwobbleアドレスを検出する。光ヘッド２３により、一定強度のレーザ光を光ディスク２１に照射し、その反射光を光電変換して電気信号を得る。得られた信号を演算増幅回路２４に入力し、サーボ回路２５により光ディスク２１を安定して回転させ、光ヘッド２３のトラッキングやフォーカス制御を行い、再生信号を出力する。
【０１１０】
演算増幅回路２４からは、再生信号とは別に、光ディスク２１のトラックの蛇行状態に対応したwobble信号が出力され、wobbleアドレス復調回路３８により、wobbleアドレスと記録開始タイミング信号が出力される。光ディスク２１上の任意のアドレスにデータを記録する場合は、マイクロプロセッサ３９において、wobbleアドレス復調回路３８から出力されるwobbleアドレスと、所望のwobbleアドレスとが一致することを確認し、そのwobbleアドレスにおける記録開始タイミング信号を使用して、光ディスク２１へのデータ記録を開始する。
【０１１１】
データの記録開始と終了は、図１１に示したように、ＥＣＣブロックの境界の同期信号内のマークの無い部分をつなぎ目とし、このつなぎ目を記録の開始点と終了点にする。このようにつなぎ目の位置を制御するステップ、手段の機能はマイクロプロセッサ３９により実行される。この際、wobble信号によるアドレス記録位置とデータのつなぎ目の位置とは、概略一定の相対関係を持つように制御する。これにより、wobbleアドレスと記録データとの位置関係が保たれ、wobbleアドレスと記録データのアドレスとが一致し、光ディスク２１上の未記録領域と既記録領域とを区別なくアクセスできる。
【０１１２】
Ｄ．再生動作例
次に、上記の光ディスク２１からデータを再生する時の動作を説明する。光ヘッド２３により、一定強度のレーザ光を光ディスク２１に照射し、その反射光を光電変換して電気信号を得る。得られた信号を演算増幅回路２４に入力し、サーボ回路２５により光ディスク２１を安定して回転させ、光ヘッド２３のトラッキングやフォーカス制御を行い、再生信号（多値信号）を出力する（多値データを検出するステップ）。
【０１１３】
同期信号検出回路３２によって多値信号から同期信号を検出する（同期信号を検出するステップ）。その後のアンブル信号を使用してＰＬＬ回路３１にて多値データに同期したクロック信号を生成する（多値データに同期したクロックを再び同期させるステップ）。クロック信号によってＡＤ変換回路３０で、多値信号をデジタル信号に変換し、多値データのデジタルデータを出力する。その後、波形等化回路３３でデジタル信号処理による波形等化を行い、多値判定回路３４で多値データ（０から７）を判定する。多値２値変換回路３５によって、多値データを２値データ（０と１）に変換する（２値データに変換するステップ）。そして、誤り訂正回路３７で１ＥＣＣブロックデータに対する誤り訂正を行い、情報データを出力する（誤り訂正を行い情報データを出力するステップ）。同時に、記録最終ブロック検出回路３６で、セクタのディスク識別データを検出し、記録最終ブロックか否かを判別する（記録最終ブロックであることを示す情報を検出するステップ）。この判別結果により、つなぎ目の同期信号検出時には、同期信号の判別条件を変える制御を行う。この同期信号の判別条件を変更制御するステップ、手段の機能はマイクロプロセッサ３９により実行される。さらに、ＰＬＬ回路３１では、アンブル信号を使用して、クロック信号をつなぎ目以降の多値データに同期させる。
【図面の簡単な説明】
【０１１４】
【図１】本発明の第一の実施の形態の情報データ記録時のデータ構成例を示す模式図である。
【図２】同期信号のデータパターン例に関する説明図である。
【図３】つなぎ目を同期信号のマークの無い部分に設定した様子を示す模式図である。
【図４】マークエッジ記録方式用の同期信号１，２のデータパターン例に関する説明図である。
【図５】反転間隔Ａが変動する様子を示す同期信号のデータパターン例に関する説明図である。
【図６】光ディスク装置の構成例を示す概略ブロック図である。
【図７】本発明の第二の実施の形態に適用される多値記録方式を示すマーク形状及び再生信号波形の説明図である。
【図８】本実施の形態の情報データ記録時のデータ構成例を示す模式図である。
【図９】同期信号のデータパターン例に関する説明図である。
【図１０】アンブル信号のデータパターン例に関する説明図である。
【図１１】つなぎ目を同期信号のマークの無い部分に設定した様子を示す模式図である。
【図１２】反転間隔Ｃが変動する様子を示す同期信号のデータパターン例に関する説明図である。
【図１３】光ディスク装置の構成例を示す概略ブロック図である。
【符号の説明】
【０１１５】
１      情報記録媒体
６      データを構成する手段、記録最終ブロックであることを示す情報を付加する手段
８      同期信号を付加する手段
１１      ２値データを検出する手段
１４      同期信号を検出する手段
１５      記録最終ブロックであることを示す情報を検出する手段
１６      誤り訂正を行い情報データを出力する手段
１８      つなぎ目の位置を制御する手段、判別条件を変更制御する手段
２１      情報記録媒体
２６，２７      データを構成する手段、記録最終ブロックであることを示す情報を付加する手段
２８      同期信号を付加する手段
３２      同期信号を検出する手段
３４      多値データを検出する手段
３５      ２値データに変換する手段
３６      記録最終ブロックであることを示す情報を検出する手段
３７      誤り訂正を行い情報データを出力する手段
３９      つなぎ目の位置を制御する手段、判別条件を変更制御する手段
【図１】
2005339678.tif 000003
【図２】
2005339678.tif 000004
【図３】
2005339678.tif 000005
【図４】
2005339678.tif 000006
【図５】
2005339678.tif 000007
【図６】
2005339678.tif 000008
【図７】
2005339678.tif 000009
【図８】
2005339678.tif 000010
【図９】
2005339678.tif 000011
【図１０】
2005339678.tif 000012
【図１１】
2005339678.tif 000013
【図１２】
2005339678.tif 000014
【図１３】
2005339678.tif 000015